(57)【要約】【課題】  フェージングに起因する不要なハンドオーバーを防止する、より簡易かつ効果的な方法を提供する。【解決手段】  フェージングの影響を受けているセルでは、受信電力が所定の強度範囲で振動する傾向にある。したがって、ハンドオーバーの条件を満たした場合であっても、受信電力の強度がこの所定の範囲を超えていなければ、いまだフェージングの影響を脱していない蓋然性が高い。そこで、現在の受信品質（ステップ２０で取得）と、最後の無線通信終了時の受信品質（ステップ２３で取得）を比較し（ステップ２６）、前者が後者を所定のレベル以上上回っていなければ、いまだフェージングの影響を脱していないと判断し、ハンドオーバー処理を行わない。他方、前者が後者を所定のレベル以上上回っていれば、フェージングの影響を脱したと判断し、ハンドオーバー処理を行う（ステップ２７）。【選択図】  図２
2006186797.tif 000002
【特許請求の範囲】
【請求項１】
無線通信端末局が接続する複数の無線通信基地局の切り替えを制御するハンドオーバー制御方法において、
前記無線通信端末局が、前記複数の無線通信基地局から受信した信号の品質にもとづいて、その接続する無線通信基地局の一部を入れ替える、または削除するためのハンドオーバー処理を実行した際に、無線通信を終了した無線通信基地局の識別子と、当該無線通信基地局から受信した信号の無線通信終了時における品質に関する情報を保存する第１のステップと、
前記無線通信端末局が、前記複数の無線通信基地局から受信している信号の品質にもとづいて、その接続する無線通信基地局の一部を入れ替えるためのハンドオーバー処理を実行しようとする際に、前記識別子の保存の有無から、無線通信を開始しようとする無線通信基地局が過去に無線通信を行ったことがある無線通信基地局か否かを判断する第２のステップと、
前記無線通信端末局が、前記第２のステップで、前記無線通信を開始しようとする無線通信基地局が過去に無線通信を行ったことがある無線通信基地局であると判断した場合、当該無線通信基地局から受信している現在の信号の品質と、前記第１のステップで保存した、最後の無線通信終了時に受信していた信号の品質とを比較し、前者が後者を所定のレベル以上上回る場合にのみ、当該ハンドオーバー処理の対象となった他の無線通信基地局と入れ替えて当該無線通信基地局を前記無線通信端末局と接続させるためのハンドオーバー処理を実行する第３のステップを有することを特徴とするハンドオーバー制御方法。
【請求項２】
前記無線通信端末局が、前記無線通信を開始しようとする無線通信基地局から受信した信号の品質が所定の閾値を超えるか否かを判断する第４のステップと、
前記無線通信端末局が、前記第４のステップで、前記無線通信を開始しようとする無線通信基地局から受信した信号の品質が所定の閾値以下と判断した場合、前記第２のステップおよび前記第３のステップを行わずに当該ハンドオーバー処理を終了する第５のステップをさらに有する、請求項１に記載のハンドオーバー制御方法。
【請求項３】
無線通信端末局が接続する複数の無線通信基地局の切り替えを制御するハンドオーバー制御方法において、
前記複数の無線通信基地局の１つが、前記無線通信端末局から、前記複数の無線通信基地局から受信した信号の品質に関する情報を受信し、該品質にもとづいて、前記無線通信端末局の接続する無線通信基地局の一部を入れ替える、または削除するためのハンドオーバー処理を実行した際に、無線通信を終了した無線通信基地局の識別子と、前記無線通信端末局が当該無線通信基地局から受信した信号の無線通信終了時における品質に関する情報を保存する第１のステップと、
前記複数の無線通信基地局の１つが、前記無線通信端末局から、前記複数の無線通信基地局から受信している信号の品質に関する情報を受信し、該品質にもとづいて、前記無線通信端末局の接続する無線通信基地局の一部を入れ替えるためのハンドオーバー処理を実行しようとする際に、前記識別子の保存の有無から、無線通信を開始しようとする無線通信基地局が過去に無線通信を行ったことがある無線通信基地局か否かを判断する第２のステップと、
前記複数の無線通信基地局の１つが、前記第２のステップで、前記無線通信を開始しようとする無線通信基地局が過去に無線通信を行ったことがある無線通信基地局であると判断した場合、前記無線通信基地局が当該無線通信基地局から受信している現在の信号の品質と、前記第１のステップで保存した、最後の無線通信終了時に受信していた信号の品質とを比較し、前者が後者を所定のレベル以上上回る場合にのみ、当該ハンドオーバー処理の対象となった他の無線通信基地局と入れ替えて当該無線通信基地局を前記無線通信端末局と接続させるためのハンドオーバー処理を実行する第３のステップを有することを特徴とするハンドオーバー制御方法。
【請求項４】
前記複数の無線通信基地局の１つが、前記無線通信端末局が前記無線通信を開始しようとする無線通信基地局から受信している信号の品質が所定の閾値を超えるか否かを判断する第４のステップと、
前記複数の無線通信基地局の１つが、前記第４のステップで、前記無線通信端末局が前記無線通信を開始しようとする無線通信基地局から受信している信号の品質が所定の閾値以下と判断した場合、前記第２のステップおよび前記第３のステップを行わずに当該ハンドオーバー処理を終了する第５のステップをさらに有する、請求項３に記載のハンドオーバー制御方法。
【請求項５】
請求項１または２に記載の各ステップを、前記無線通信端末局となるべきコンピュータに実行させるプログラム。
【請求項６】
請求項３または４に記載の各ステップを、前記無線通信基地局となるべきコンピュータに実行させるプログラム。
【請求項７】
請求項１または２に記載の各ステップを、前記無線通信端末局となるべきコンピュータに実行させるプログラムを記録した、コンピュータで読み取りが可能な記録媒体。
【請求項８】
請求項３または４に記載の各ステップを、前記無線通信基地局となるべきコンピュータに実行させるプログラムを記録した、コンピュータで読み取りが可能な記録媒体。
【請求項９】
複数の無線通信基地局と接続する無線通信端末局において、
前記複数の無線通信基地局から受信した信号の品質にもとづいて、その接続する無線通信基地局の一部を入れ替える、または削除するためのハンドオーバー処理を実行した際に、無線通信を終了した無線通信基地局の識別子と、当該無線通信基地局から受信した信号の無線通信終了時における品質に関する情報を保存する第１の手段と、
前記複数の無線通信基地局から受信している信号の品質にもとづいて、その接続する無線通信基地局の一部を入れ替えるためのハンドオーバー処理を実行しようとする際に、前記識別子の保存の有無から、無線通信を開始しようとする無線通信基地局が過去に無線通信を行ったことがある無線通信基地局か否かを判断する第２の手段と、
前記第２の手段が、前記無線通信を開始しようとする無線通信基地局が過去に無線通信を行ったことがある無線通信基地局であると判断した場合、当該無線通信基地局から受信している現在の信号の品質と、前記第１の手段が保存した、最後の無線通信終了時に受信していた信号の品質とを比較し、前者が後者を所定のレベル以上上回る場合にのみ、当該ハンドオーバー処理の対象となった他の無線通信基地局と入れ替えて当該無線通信基地局を前記無線通信端末局と接続させるためのハンドオーバー処理を実行する第３の手段を有することを特徴とする無線通信端末局。
【請求項１０】
前記無線通信を開始しようとする無線通信基地局から受信した信号の品質が所定の閾値を超えるか否かを判断する第４の手段と、
前記第４の手段が、前記無線通信を開始しようとする無線通信基地局から受信した信号の品質が所定の閾値以下と判断した場合、当該ハンドオーバー処理をすぐに終了させる第５の手段をさらに有する、請求項９に記載の無線通信端末局。
【請求項１１】
無線通信端末局が接続する無線通信基地局において、
前記無線通信端末局から、複数の無線通信基地局から受信した信号の品質に関する情報を受信し、該品質にもとづいて、前記無線通信端末局の接続する無線通信基地局の一部を入れ替える、または削除するためのハンドオーバー処理を実行した際に、無線通信を終了した無線通信基地局の識別子と、前記無線通信端末局が当該無線通信基地局から受信した信号の無線通信終了時における品質に関する情報を保存する第１の手段と、
前記無線通信端末局から、前記複数の無線通信基地局から受信している信号の品質に関する情報を受信し、該品質にもとづいて、前記無線通信端末局の接続する無線通信基地局の一部を入れ替えるためのハンドオーバー処理を実行しようとする際に、前記識別子の保存の有無から、無線通信を開始しようとする無線通信基地局が過去に無線通信を行ったことがある無線通信基地局か否かを判断する第２の手段と、
前記第２の手段が、前記無線通信を開始しようとする無線通信基地局が過去に無線通信を行ったことがある無線通信基地局であると判断した場合、前記無線通信基地局が当該無線通信基地局から受信している現在の信号の品質と、前記第１の手段が保存した、最後の無線通信終了時に受信していた信号の品質とを比較し、前者が後者を所定のレベル以上上回る場合にのみ、当該ハンドオーバー処理の対象となった他の無線通信基地局と入れ替えて当該無線通信基地局を前記無線通信端末局と接続させるためのハンドオーバー処理を実行する第３の手段を有することを特徴とする無線通信基地局。
【請求項１２】
前記無線通信端末局が前記無線通信を開始しようとする無線通信基地局から受信している信号の品質が所定の閾値を超えるか否かを判断する第４の手段と、
前記第４の手段が、前記無線通信端末局が前記無線通信を開始しようとする無線通信基地局から受信している信号の品質が所定の閾値以下と判断した場合、当該ハンドオーバー処理をすぐに終了させる第５の手段をさらに有する、請求項１１に記載の無線通信基地局。
【請求項１３】
無線通信端末局の接続する複数の無線通信基地局の切り替えを制御するハンドオーバー制御機能を備える、請求項９または１０に記載の無線通信端末局と、
前記無線通信端末局と接続しうる複数の無線通信基地局を有する無線通信システム。
【請求項１４】
無線通信端末局と、
無線通信端末局の接続する複数の無線通信基地局の切り替えを制御するハンドオーバー制御機能を有し、前記無線通信端末局と接続しうる、請求項１１または１２に記載の複数の無線通信基地局を有する無線通信システム。
【発明の詳細な説明】
【技術分野】
【０００１】
本発明は、携帯電話などの無線通信端末局が行うハンドオーバー（接続する無線通信基地局の切り替え）に関する。
【背景技術】
【０００２】
図３を参照すると、無線通信端末局が行うハンドオーバーを説明するための模式図が示されている。図３において、セルＡ３２１は、無線通信端末局３１が無線通信基地局Ａ３２との無線通信が可能な領域であり、セルＢ３３１は、無線通信端末局３１が無線通信基地局Ｂ３３との無線通信が可能な領域である。無線通信端末局３１が行うハンドオーバーは、無線通信端末局３１がセルＡ３２１からセルＢ３３１に移動したときに、無線通信基地局Ａ３２と通信していた無線通信端末局３１が無線通信基地局Ｂ３３との無線通信に切り替える動作のことをいう。従来の無線通信端末局３１では、無線通信基地局Ａ３２から無線通信基地局Ｂ３３へのハンドオーバーを行う際、無線通信で利用する周波数を無線通信基地局Ａ３２の周波数から無線通信基地局Ｂ３３の周波数へ切り替えなければならなかった。
【０００３】
かかる不便は、無線通信として符号分割多重接続方式（ＣＤＭＡ：Ｃｏｄｅ Ｄｉｖｉｓｉｏｎ Ｍｕｌｔｉｐｌｅ Ａｃｃｅｓｓ）を用いることで解消できる。符号分割多重接続方式では、無線通信端末局３１は、無線通信基地局Ａ３２から伝送される信号と、無線通信基地局Ｂ３３から伝送される信号を識別することができ、かつ、同時に受信することができる。したがって、符号分割多重接続方式を用いた無線通信端末局３１のハンドオーバーは、無線通信端末局３１が無線通信基地局Ａ３２と通信している状態で、セルＡ３２１からセルＢ３３１に移動すると、無線通信端末局３１は、無線通信基地局Ａ３２との通信を維持したまま、無線通信基地局Ｂ３３との通信を追加し、無線通信基地局Ａ３２と無線通信基地局Ｂ３３との同時受信状態になる。そして、無線通信基地局Ａ３２から伝送される信号の受信電力が小さくなると、無線通信基地局Ａ３２との通信を削除し、無線通信基地局Ｂ３３のみと通信を行う。
【０００４】
このような符号分割多重接続方式を用いた無線通信端末局では、フィンガー受信器と呼ばれる複数個の受信器が設けられており、３つの無線通信基地局から伝送される信号を同時に受信できるという特徴を有している。これらの特徴により、符号分割多重接続方式を用いた無線通信端末局のハンドオーバーは次の３つの場合に大別できる。すなわち、（ｉ）１つまたは２つの無線通信基地局と通信している状態で、他の無線通信基地局との通信を追加する場合、（ｉｉ）２つまたは３つの無線通信基地局と通信している状態で、通信している無線通信基地局との通信を削除する場合、（ｉｉｉ）３つの無線通信基地局と通信している状態で、通信している無線通信基地局との通信を、通信していない無線通信基地局との通信と入れ替える場合、の３つの場合である。
【０００５】
以上の３つの場合で、最も多くの問題を含む（ｉｉｉ）の場合の処理について、図面を参照しながら詳細に説明する。
【０００６】
図４を参照すると、無線通信端末局４１が、無線通信基地局４２、４３、４４と通信している状態で、無線通信基地局４５がハンドオーバー候補になったことを示す図が示されている。また、図５を参照すると、無線通信端末局４１の受信電力の時間推移を示す図が示されている。さらに、図６を参照すると、無線通信端末局と無線通信基地局の間でハンドオーバー中にやり取りされるメッセージのシーケンスを示す図が示されている。
【０００７】
図４に示しているように、無線通信端末局４１は、無線通信基地局４２、４３、４４と通信している。無線通信端末局４１は、通信中に無線通信基地局４５から送信される信号の受信電力を測定している。図５に示しているように、無線通信基地局４２から送信される信号の受信電力が劣化し、無線通信基地局４５から送信される信号の受信電力が向上している。無線通信端末局４１は、無線通信基地局４２からの受信電力と無線通信基地局４５からの受信電力が入れ替わる直前で、図６に示しているように、無線通信基地局４２、４３、４４に対して、セルの測定結果がハンドオーバー条件を満たしたことを通知するメッセージを送信する（ステップ６１）。
【０００８】
このメッセージにより、無線通信基地局４２は、無線通信端末局４１との通信を終了する。また、無線通信基地局４５は、無線通信端末局４１に対して送信を開始する。さらに、無線通信基地局４３、４４は、無線通信端末局４１に対して、タイミングなど、ハンドオーバー対象セルとの通信条件を通知するメッセージを送信する（ステップ６２）。
【０００９】
このメッセージにより、無線通信端末局４１は、通知されたタイミング情報などを無線通信端末局４１内のフィンガー受信器に設定するとともに、無線通信基地局４３、４４、４５に対して、通知された通信条件の設定処理が終了したことを通知するメッセージを送信する（ステップ６３）。
【００１０】
その後、無線通信基地局４３、４４、４５は、次のハンドオーバーのために、周辺セル情報などのハンドオーバー情報を更新するメッセージを送信し、ハンドオーバー処理が完了する（ステップ６４）。無線通信端末局４１は、受信した、ハンドオーバー情報を更新するメッセージにしたがい、周辺セルの受信品質の調査を実施する。
【００１１】
無線通信においては、建物や地形などにより、受信電力が変動するフェージングが発生する。かかるフェージングは、上記（ｉｉｉ）の場合の処理に大きな影響を与える。図７を参照すると、フェージングが上記（ｉｉｉ）の場合の処理に与える影響を説明するための図が示されている。
【００１２】
図７に示しているように、セルＣやセルＤのように受信品質が大きく変動する場合がある。図７に示した無線伝播環境でのハンドオーバーを考えると、無線通信端末局は、はじめ、セルＡ、セルＢ、セルＣと通信しているが、セルＣの受信品質とセルＤの受信品質が交互に入れ替わるたびに、セルＣとセルＤの入れ替えのためのハンドオーバーを実行する。その後、セルＡ、セルＢの受信品質が劣化し、セルＥの受信品質が向上すると、セルＥがハンドオーバーの候補になるが、セルＣとセルＤを入れ替えるハンドオーバーを実行しているため、セルＥのハンドオーバーができず、セルＡ、セルＢの受信品質の劣化により、呼切断が発生するという問題が発生する。
【００１３】
これは、セルＣとセルＤを入れ替えるハンドオーバーにより、図６に示した受信セルを入れ替えるハンドオーバーシーケンスが、無線通信基地局と無線通信端末局の間で実施されているため、セルＥが新たにハンドオーバー候補になり、無線通信端末局より送信される、セルＥがハンドオーバー条件を満足したことを通知するメッセージが、無線通信基地局側で無視されるからである。このように、セルＣとセルＤの入れ替えのためのハンドオーバーが頻発している環境では、このような不要なハンドオーバーのために、通信維持のためにぜひとも実施しなければならないハンドオーバーが実行できないことになる。
【００１４】
かかる問題を解決するために、すでにいくつかの技術が提案されている。たとえば、特開２００１−１６９３２号公報（特許文献１）では、学習手段により、このような不要なハンドオーバーの存在を検出する技術が開示されている。また、特開２００４−４０３３８号公報（特許文献２）では、ある無線通信基地局間で交互にハンドオーバーされる回数をカウントし、これが所定の回数を超えると、所定の時間、当該無線通信基地局間のハンドオーバーを禁止する技術が開示されている。
【特許文献１】特開２００１−１６９３２号公報
【特許文献２】特開２００４−４０３３８号公報
【発明の開示】
【発明が解決しようとする課題】
【００１５】
しかしながら、上記特許文献１に記載の発明では、学習手段の構築に手間がかかり、フェージングに起因する不要なハンドオーバーを防止する簡易な技術とは言い難い。また、上記特許文献２に記載の発明では、所定の回数は不要なハンドオーバーが続くことは避けられない。
【００１６】
本発明の目的は、フェージングに起因する不要なハンドオーバーを防止する、より簡易かつ効果的な方法を提供することにある。
【課題を解決するための手段】
【００１７】
上記目的を達成するために、本発明のハンドオーバー制御方法では、以下の手順でフェージングに起因する不要なハンドオーバーを防止する。
【００１８】
すなわち、まず、無線通信端末局が、複数の無線通信基地局から受信した信号の品質にもとづいて、その接続する無線通信基地局の一部を入れ替える、または削除するためのハンドオーバー処理を実行した際に、無線通信を終了した無線通信基地局の識別子と、当該無線通信基地局から受信した信号の無線通信終了時における品質に関する情報を保存する。
【００１９】
次に、無線通信端末局が、複数の無線通信基地局から受信している信号の品質にもとづいて、その接続する無線通信基地局の一部を入れ替えるためのハンドオーバー処理を実行しようとする際に、上記識別子の保存の有無から、無線通信を開始しようとする無線通信基地局が過去に無線通信を行ったことがある無線通信基地局か否かを判断する。
【００２０】
最後に、無線通信端末局が、無線通信を開始しようとする無線通信基地局が過去に無線通信を行ったことがある無線通信基地局であると判断した場合、当該無線通信基地局から受信している現在の信号の品質と、上記で保存した、最後の無線通信終了時に受信していた信号の品質とを比較し、前者が後者を所定のレベル以上上回る場合にのみ、当該ハンドオーバー処理の対象となった他の無線通信基地局と入れ替えて当該無線通信基地局を無線通信端末局と接続させるためのハンドオーバー処理を実行する。
【００２１】
図７のセルＣとセルＤで見たように、フェージングの影響を受けているセルでは、受信電力が所定の強度範囲で振動する傾向にある。したがって、ハンドオーバーの条件を満たした場合であっても、受信電力の強度がこの所定の範囲を超えていなければ、いまだフェージングの影響を脱していない蓋然性が高い。そこで、現在の受信品質（受信電力）と、最後の無線通信終了時の受信品質（受信電力）を比較し、前者が後者を所定のレベル以上上回っていなければ、いまだフェージングの影響を脱していないと判断し、ハンドオーバー処理を行わない。他方、前者が後者を所定のレベル以上上回っていれば、フェージングの影響を脱したと判断し、ハンドオーバー処理を行う。
【発明の効果】
【００２２】
以上説明したように、本発明によれば、受信電力が所定の強度範囲で振動するというフェージングの特徴をよくふまえたアルゴリズムを用いているので、より簡易かつ効果的に、フェージングに起因する不要なハンドオーバーを防止し、もって肝心なハンドオーバーが実施されず、通信断となることを可及的に防止できる。
【発明を実施するための最良の形態】
【００２３】
次に、本発明の実施の形態について、図面を参照して詳細に説明する。
【００２４】
図１を参照すると、本発明の無線通信端末局の構成を示した図が示されている。無線通信端末局は、アンテナ１０と、アンテナ共用器１１と、無線受信器１２と、ベースバンド受信部１３と、無線送信器１４と、ベースバンド送信部１５を含む。さらに、ベースバンド受信部１３は、複数のフィンガー受信器１３１、１３２、１３３と、周辺セル測定用フィンガー受信器１３４と、ディジタル信号処理部１３５と、ハンドオーバー制御部１３６と、ハンドオーバー制御用メモリ１３７を含む。
【００２５】
アンテナ１０は、不図示の無線通信基地局との間で通信される信号の受信および送信を実行する。
【００２６】
アンテナ共用器１１は、受信した信号を無線受信器１２に供給するとともに、無線送信器１４から出力される無線通信端末局の送信信号をアンテナ１０に供給する。
【００２７】
無線受信器１２は、受信した信号に周波数変換などの無線処理を施し、ベースバンド帯域の受信信号として、ベースバンド受信部１３に供給する。
【００２８】
ベースバンド受信部１３は、無線受信器１２より入力された受信信号を、フィンガー受信器１３１、１３２、１３３と、周辺セル測定用フィンガー受信器１３４において、逆拡散、復調などの処理を施し、これをディジタル信号処理部１３５に供給する。それとともに、受信信号の受信品質を、ハンドオーバー制御部１３６に供給する。
【００２９】
ハンドオーバー制御部１３６は、フィンガー受信器１３１、１３２、１３３と、周辺セル測定用フィンガー受信器１３４の受信タイミングを制御するとともに、入力された通信中のセルの受信品質と、周辺セルの受信品質から、ハンドオーバーの条件が満たされているか否かを判断する。ハンドオーバー条件が満たされている場合、ハンドオーバー制御用メモリ１３７に格納されている過去のハンドオーバー実績を検索し、ハンドオーバー条件を満たしたセルが、過去に、通信しているセルを入れ替えるハンドオーバーまたは通信しているセルを削除するハンドオーバーの対象セルであった否かを確認する。過去にハンドオーバー対象となっていない場合、ハンドオーバー条件を満たしたことをベースバンド送信部１５に通知し、無線通信端末局は、無線通信基地局に対して、図６に示したシーケンスにしたがい、ハンドオーバー条件を満たしたことを通知するメッセージを送信する。その後、次に入力されてくる通信中のセルの受信品質と、周辺セルの受信品質に対して、ハンドオーバー条件を満たしているか否かを判断する処理に戻る。
【００３０】
これに対し、過去にハンドオーバー対象になっていた場合、フェージングによりセルの受信品質が変動し、不要なハンドオーバーが頻発する環境で通信しているか否かを判断するため、ハンドオーバー制御用メモリ１３７に格納されている前回のハンドオーバーでの通信終了時の受信品質と、今回のハンドオーバーにおける受信品質とを比較する処理を実行する。前回と今回の受信品質が同等であった場合、不要なハンドオーバーを削減するため、ハンドオーバー対象となったセルのハンドオーバーをやめ、次に入力されてくる通信中のセルの受信品質と、周辺セルの受信品質に対して、ハンドオーバー条件を満たしているか否かを判断する処理に戻る。これに対し、前回と今回の受信品質の比較の結果が、ハンドオーバー制御用メモリ１３７に格納されている閾値以上の受信品質向上が合った場合、フェージングによりセルの受信品質が変動しているが、不要なハンドオーバーが頻発する環境ではないと判断して、ハンドオーバー条件を満たしたことをベースバンド送信部１５に通知する。そして、無線通信端末局は、無線通信基地局に対して、図６に示したシーケンスにしたがい、ハンドオーバー条件を満たしたことを通知するメッセージを送信する。その後、次に入力されてくる通信中のセルの受信品質と、周辺セルの受信品質に対して、ハンドオーバー条件を満たしているか否かを判断する処理に戻る。
【００３１】
ディジタル信号処理部１３５は、入力された受信信号に誤り訂正などのディジタル信号処理を施し、受信信号を復号して音声や画像など、無線通信基地局より伝送された信号を取り出す。
【００３２】
無線送信器１４は、ベースバンド送信部１５で生成された送信信号に周波数変換などの無線処理を施す。
【００３３】
ベースバンド送信部１５は、無線通信端末局の送信信号を生成する。
【００３４】
次に、本発明のハンドオーバー制御方法の処理手順について、図２のフローチャートを参照して詳細に説明する。
【００３５】
フィンガー受信器１３１、１３２、１３３と、周辺セル測定用フィンガー受信器１３４から受信品質情報がハンドオーバー制御部１３６に入力されると（ステップ２０）、ハンドオーバー制御部１３６は、入力された受信品質がハンドオーバー条件を満たしているか否かを確認する（ステップ２１）。ハンドオーバー条件を満たしていない場合、ＮＯの分岐を経て、次の受信品質の入力を待つ。
【００３６】
これに対し、ハンドオーバー条件を満たしている場合、ＹＥＳの分岐を経て、通信しているセルを入れ替える、または、通信しているセルを削除するハンドオーバーか否かを判断する（ステップ２２）。入れ替えまたは削除のハンドオーバー以外の場合、すなわち、セルを追加するハンドオーバーの場合、ＮＯの分岐を経て、図６のハンドオーバーシーケンスにしたがい、ハンドオーバー条件を満たしたことを通知するメッセージを無線通信基地局に対して送信する。その後、図６のハンドオーバーシーケンスにしたがい、ハンドオーバー処理を実行する（ステップ２７）。その後、次の受信品質の入力を待ち、次のハンドオーバー処理を実行する（ステップ２０）。
【００３７】
これに対し、入れ替えまたは削除のハンドオーバーの場合、ＹＥＳの分岐を経て、ハンドオーバー対象となっているセルであって、無線通信端末局との通信を終了するセルのセル番号および通信終了時の受信品質を、当該無線通信基地局の識別子とともに、ハンドオーバー制御用メモリ１３７へ格納する（ステップ２４）。なお、ハンドオーバー制御用メモリ１３７のメモリ更新は定期的に実施される。また、ハンドオーバー制御部１３６は、ハンドオーバー制御用メモリ１３７の格納内容を確認し（ステップ２３）、上記識別子の有無から、ハンドオーバー対象となっているセルであって、無線通信端末局との通信を開始しようとするセルが、過去に入れ替えまたは削除のハンドオーバーの対象になり、通信を終了したセルか否かを判断する（ステップ２５）。
【００３８】
過去のハンドオーバー対象ではなかった場合、ＮＯの分岐を経て、図６のハンドオーバーシーケンスにしたがい、ハンドオーバー条件を満たしたことを通知するメッセージを無線通信基地局に対して送信する（ステップ２７）。過去のハンドオーバー対象であった場合、ＹＥＳの分岐を経て、今回のハンドオーバー候補の受信品質が、過去に通信終了したときの受信品質と比較して、ハンドオーバーを継続すべきか否かを判断する（ステップ２６）。
【００３９】
これは、過去に通信を終了した際の受信品質と同等の受信品質であれば、フェージングによりセルの受信品質が変動し、不要なハンドオーバーが頻発する環境で通信していると判断でき、ハンドオーバー処理を継続する必要がないと判断できるが、過去に通信を終了した際の受信品質より一定レベル以上品質がよければ、フェージングによりセルの受信品質が変動し、不要なハンドオーバーが頻発する環境でないと判断できるためである。この処理を実行するため、ハンドオーバー制御部１３６は、ハンドオーバー制御用メモリ１３７に、過去の受信品質と今回の受信品質を比較するための閾値を格納させ、この閾値を用いて過去の受信品質と今回の受信品質を比較し、今回の受信品質が過去の受信品質に対して一定レベル以上の品質向上があるか否かを確認する。
【００４０】
比較した結果、一定以上の受信品質の向上がなかった場合、ＮＯの分岐を経て、次の受信品質の入力を待つ（ステップ２０）。これに対し、比較した結果、一定以上の受信品質の向上があった場合、ＹＥＳの分岐を経て、図６のハンドオーバーシーケンスにしたがい、ハンドオーバー条件を満たしたことを通知するメッセージを無線通信基地局に対して送信する。その後、図６のハンドオーバーシーケンスにしたがい、ハンドオーバー処理を実行した後（ステップ２７）、次の受信品質の入力を待ち、次のハンドオーバー処理を実行する（ステップ２０）。
【００４１】
本発明の他の実施形態としては、その基本的構成は上記の通りであるが、ハンドオーバー制御部１３６についてさらに工夫することが考えられる。すなわち、ハンドオーバー制御部１３６が、ハンドオーバー制御用メモリ１３７に受信品質に対する閾値を格納させ、あるセルがハンドオーバーの対象になりうるとしても、このセルの受信品質が閾値以下であったなら、そもそもハンドオーバーの対象としないとするものである。これにより、受信品質が小さすぎる場合には、そもそも図２のステップ２１以降の処理を行わなくてもよくなる。
【００４２】
本発明のさらに他の実施形態としては、その基本的構成は上記の通りであるが、ハンドオーバー制御部１３６で実施するハンドオーバー継続可否の判断、すなわち、図２のステップ２５および２６を無線通信基地局側で実施することが考えられる。
【００４３】
すなわち、無線通信端末局は、セル測定の結果、ハンドオーバー条件を満たしたことを通知するメッセージを無線通信基地局に対して送信する（受信品質に関する情報も送信する）。無線通信基地局では、通知されたメッセージにしたがい、通知されたハンドオーバー対象セルが、過去に入れ替えまたは削除のハンドオーバーの対象セルであり、かつ、過去に通信を終了したセルかどうかの確認をし、過去に通信を終了しているセルであった場合、通信を終了した時点の受信品質と通知された時点の受信品質を比較し、ハンドオーバーを継続するか否かの判断を実施する（無線通信基地局は、受信品質を格納するハンドオーバー制御用メモリ１３７に対応するメモリを保持している）。
【００４４】
なお、無線通信端末局または無線通信基地局は、専用のハードウェアにより実現する以外に、その機能を実現するためのプログラムを、コンピュータ読み取りが可能な記録媒体に記録して、この記録媒体に記録されたプログラムを、無線通信端末局または無線通信基地局となるべきコンピュータに読み込ませて実行することにより、実現するものでもよい。コンピュータ読み取りが可能な記録媒体とは、フロッピーディスク、光磁気ディスク、ＣＤ−ＲＯＭ等の記録媒体、コンピュータシステムに内蔵されるハードディスク装置等の記憶装置を指す。さらに、コンピュータ読み取りが可能な記録媒体とは、インターネットを介してプログラムを送信する場合のように、短時間の間に、動的にプログラムを保持するもの（伝送媒体もしくは伝送波）、コンピュータシステム内部の揮発性メモリのように、一定時間プログラムを保持しているものも含む。
【図面の簡単な説明】
【００４５】
【図１】本発明の無線通信端末局の構成を示した図である。
【図２】本発明のハンドオーバー制御方法の手順を説明するためのフローチャートである。
【図３】無線通信端末局が行うハンドオーバーを説明するための図である。
【図４】無線通信端末局が３つの無線通信基地局と通信している状態で、通信している無線通信基地局との通信を、通信していない無線通信基地局との通信と入れ替える場合の処理を説明するための図であり、無線通信端末局４１が、無線通信基地局４２、４３、４４と通信している状態で、無線通信基地局４５がハンドオーバー候補になったことを示す図である。
【図５】無線通信端末局が３つの無線通信基地局と通信している状態で、通信している無線通信基地局との通信を、通信していない無線通信基地局との通信と入れ替える場合の処理を説明するための図であり、無線通信端末局４１の受信電力の時間推移を示す図である。
【図６】無線通信端末局が３つの無線通信基地局と通信している状態で、通信している無線通信基地局との通信を、通信していない無線通信基地局との通信と入れ替える場合の処理を説明するための図であり、無線通信端末局と無線通信基地局の間でハンドオーバー中にやり取りされるメッセージのシーケンスを示す図である。
【図７】無線通信端末局が３つの無線通信基地局と通信している状態で、通信している無線通信基地局との通信を、通信していない無線通信基地局との通信と入れ替える場合の処理が、フェージングによってどのような影響を受けるかを説明するための図である。
【符号の説明】
【００４６】
１０  アンテナ
１１  アンテナ共用器
１２  無線受信器
１３  ベースバンド受信部
１３１  フィンガー受信器
１３２  フィンガー受信器
１３３  フィンガー受信器
１３４  周辺セル測定用フィンガー受信器
１３５  ディジタル信号処理部
１３６  ハンドオーバー制御部
１３７  ハンドオーバー制御用メモリ
１４  無線送信器
１５  ベースバンド送信部
２０〜２７  ステップ
３１  無線通信端末局
３２  無線通信基地局Ａ
３２１  セルＡ
３３  無線通信基地局Ｂ
３３１  セルＢ
４１  無線通信端末局
４２  無線通信基地局
４３  無線通信基地局
４４  無線通信基地局
４５  無線通信基地局
６１〜６４  ステップ
【図１】
2006186797.tif 000003
【図２】
2006186797.tif 000004
【図３】
2006186797.tif 000005
【図４】
2006186797.tif 000006
【図５】
2006186797.tif 000007
【図６】
2006186797.tif 000008
【図７】
2006186797.tif 000009